【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
ターゲット３次元ディスプレイデバイスで使用するために３次元ビデオ信号データを再ターゲットする方法であって、前記方法は、
３次元ビデオ信号を受信するステップであって、前記３次元ビデオ信号が、
多視点ディスプレイデバイスを駆動するのに適した３次元ビデオ信号データと、
基準３次元ディスプレイデバイスのための前記３次元ビデオ信号データの視差マッピングを示す基準視差マッピングデータと
を備えるステップと、
前記基準視差マッピングデータと、前記基準３次元ディスプレイデバイスの特性及び前記ターゲット３次元ディスプレイデバイスの対応する特性とに基づいて、ターゲット視差マッピングデータを導出するステップと、
前記ターゲット視差マッピングデータを使用して、前記３次元ビデオ信号データをターゲット３次元ビデオ信号データに再ターゲットするステップと
を含み、
前記ターゲット３次元ディスプレイデバイスが、前記基準３次元ディスプレイデバイスに比べて、特徴的要素を表示するためのより大きい視差範囲を有するという条件の下で、前記ターゲット視差マッピングデータの導出が、前記より大きい視差範囲内での前記基準視差マッピングデータと線形視差マッピングデータとの重み付け加算を含む、方法。
【請求項２】
前記ターゲット視差マッピングデータが、target_disparity_mapping(x)に対応し、target_disparity_mapping(x)=
((1-beta)・reference_disparity_mapping(x))+
(beta・linear_approximation_reference_disparity_mapping(x))
であり、
reference_disparity_mapping(x)が、ｘに関する前記基準視差マッピングデータに対応し、
linear_approximation_ref_disparity(x)が、
点（dmin,reference_disparity_mapping(dmin))及び
(dmax,reference_disparity_mapping(dmax))を通る線形視差マッピングデータに対応する、
請求項１に記載の方法。
【請求項３】
前記基準視差マッピングデータが、前記基準３次元ディスプレイデバイスの特性を使用して生成され、それにより、前記基準視差マッピングデータが、前記３次元ビデオ信号データでの特徴的要素の視差を、前記特徴的要素を表現するのに適した前記基準３次元ディスプレイデバイスの所定の視差範囲にマッピングする、請求項１に記載の方法。
【請求項４】
前記３次元ビデオ信号が、前記導出で使用される前記基準３次元ディスプレイデバイスの前記特性を更に含む、請求項１乃至３のいずれか一項に記載の方法。
【請求項５】
前記基準３次元ディスプレイデバイスの前記特性が、
ブラー／視差曲線、
鮮鋭度／視差曲線、
ブラー／視差範囲、
鮮鋭度／視差範囲、
特徴的／視差範囲、
所定の鮮鋭度基準を超える鮮鋭度を有する、３次元画像を表示するのに適した視差範囲を示す鮮鋭度／視差データ、及び／又は
所定のブラー尺度未満のブラーを有する、３次元画像を表示するのに適した視差範囲を示すブラー／視差データ
の１つを含む、請求項１乃至３のいずれか一項に記載の方法。
【請求項６】
前記多視点ディスプレイデバイスを駆動するのに適した３次元ビデオ信号データを取得するステップと、
前記基準３次元ディスプレイデバイスの前記特性を取得するステップと、
前記基準３次元ディスプレイデバイスのための前記３次元ビデオ信号データの前記視差マッピングを示す前記基準視差マッピングデータを生成するステップと、
前記３次元ビデオ信号を生成するステップとを含み、ここで、前記３次元ビデオ信号を生成するステップが、前記３次元ビデオ信号データと前記基準視差マッピングデータとを複合するステップと
によって、前記３次元ビデオ信号を生成するステップを含む、請求項１乃至３のいずれか一項に記載の方法。
【請求項７】
ターゲット３次元ディスプレイデバイスで使用するために３次元ビデオ信号データを再ターゲットするためのシステムであって、前記システムは、
前記３次元ビデオ信号を受信する受信機であって、前記３次元ビデオ信号が、
多視点ディスプレイデバイスを駆動するのに適した３次元ビデオ信号データと、
基準３次元ディスプレイデバイスのための前記３次元ビデオ信号データの視差マッピングを示す基準視差マッピングデータと
を備える受信機と、
前記基準視差マッピングデータと、前記基準３次元ディスプレイデバイスの特性及び前記ターゲット３次元ディスプレイデバイスの対応する特性とに基づいて、ターゲット視差マッピングデータを導出する導出部と、
前記ターゲット視差マッピングデータを使用して、前記３次元ビデオ信号データをターゲット３次元ビデオ信号データに再ターゲットするコンバータと
を備え、
前記ターゲット３次元ディスプレイデバイスが、前記基準３次元ディスプレイデバイスに比べて、特徴的要素を表示するためのより大きい視差範囲を有するという条件の下で、前記導出部が、前記より大きい視差範囲内での前記基準視差マッピングデータと線形視差マッピングデータとの重み付け加算を含めて、前記ターゲット視差マッピングデータを導出する、システム。
【請求項８】
前記ターゲット視差マッピングデータが、target_disparity_mapping(x)に対応し、target_disparity_mapping(x)=
((1-beta)・reference_disparity_mapping(x))+
(beta・linear_approximation_reference_disparity_mapping(x))
であり、
reference_disparity_mapping(x)が、ｘに関する前記基準視差マッピングデータに対応し、
linear_approximation_ref_disparity(x)が、点(xmin,reference_disparity_mapping(xmin))及び(xmax,reference_disparity_mapping(xmax))を通る線形視差マッピングデータに対応する、
請求項７に記載のシステム。
【請求項９】
前記基準視差マッピングデータが、前記基準３次元ディスプレイデバイスの特性を使用して生成され、それにより、前記基準視差マッピングデータが、前記３次元ビデオデータでの特徴的要素の視差を、前記特徴的要素を表現するのに適した前記基準３次元ディスプレイデバイスの所定の視差範囲にマッピングする、請求項７に記載のシステム。
【請求項１０】
前記３次元ビデオ信号が、前記導出部によって使用される前記基準３次元ディスプレイデバイスの前記特性を更に含む、請求項７乃至９のいずれか一項に記載のシステム。
【請求項１１】
前記基準３次元ディスプレイデバイスの前記特性が、
ブラー／視差曲線、
鮮鋭度／視差曲線、
ブラー／視差範囲、
鮮鋭度／視差範囲、
特徴的／視差範囲、
所定の鮮鋭度基準を超える鮮鋭度を有する、３次元画像を表示するのに適した視差範囲を示す鮮鋭度／視差データ、及び／又は
所定のブラー尺度未満のブラーを有する、３次元画像を表示するのに適した視差範囲を示すブラー／視差データ
の少なくとも１つを含む、請求項７乃至９のいずれか一項に記載のシステム。
【請求項１２】
請求項７乃至９のいずれか一項に記載のシステムのいずれか１つを備える、３次元ディスプレイデバイス。
【請求項１３】
請求項７乃至９のいずれか一項に記載のシステムと、３次元ビデオ信号を生成するためのシステムとを含み、
前記３次元ビデオ信号を生成するための前記システムが、
前記多視点ディスプレイデバイスを駆動するのに適した３次元ビデオ信号データを受信する受信機と、
前記基準３次元ディスプレイデバイスの特性を獲得する獲得ユニットと、
前記基準視差マッピングデータを生成する第１の生成器であって、前記基準視差マッピングデータが、前記基準３次元ディスプレイデバイスのための前記３次元ビデオ信号データの前記視差マッピングを示す第１の生成器と、
前記３次元ビデオ信号を生成する第２の生成器とを備え、前記３次元ビデオ信号の生成が、前記３次元ビデオ信号データと、前記基準視差マッピングデータとを複合することを含む、
複合システム。
【請求項１４】
３次元ビデオ信号データを再ターゲットするためのコンピュータプログラムであって、請求項１乃至３の何れか一項に記載の方法を実行するための命令を含む、コンピュータプログラム。